(57)【要約】【課題】  連続的にデータの送受信を行わないサービスにおいて、一定の回線品質を保つことが可能な通信システムの提供。【解決手段】  ユーザデータ無しの場合、パイロットビットはビット抽出部６で擬似ユーザデータとしてパイロット変換部７へ出力される。パイロット変換部７はCRC ビットだけを送信した場合のビットパターンに基づきシンボルのローテーションを行う。このシンボルは逆インターリーブ部８および誤り訂正部９により復号され、CRC 判定部１０により、CRC 判定が行われる。【選択図】      図１                                                  
2005045564.tif 000002
【特許請求の範囲】
【請求項１】
送信側および受信側で既知のパイロット信号を情報に付加して通信を行う通信システムであって、
前記情報にユーザデータが無い場合、前記受信側で受信したパイロット信号を擬似ユーザデータとして取り扱い、その擬似ユーザデータを基に回線品質を判定する回線品質判定手段を含むことを特徴とする通信システム。
【請求項２】
前記送信側で送信される信号は所定周期でインターリーブされた信号であり、前記回線品質判定手段は、受信した情報に前記ユーザデータが有るか否かを判定し、無い場合は受信したパイロット信号を擬似ユーザデータとして抽出するビット抽出部と、前記ビット抽出部より前記パイロット信号を受け取り、前記受信側で既知のパイロット信号を用いてデータ変換を行い、その変換後のパイロット信号をインターリーブ長の間隔で配置するパイロット変換部と、前記パイロット変換部で処理された情報を逆インターリーブする逆インターリーブ部と、前記逆インターリーブ部で処理された情報を復号する誤り訂正部と、前記誤り訂正部で処理された情報の誤り判定を行う誤り判定部とを含むことを特徴とする請求項１記載の通信システム。
【請求項３】
前記送信側は、送信する情報にユーザデータが無い場合、前記受信側で誤り判定を行う場合に通常必要とされる所定ビットを付加しないことを特徴とする請求項１または２記載の通信システム。
【請求項４】
前記通信システムはCDMA通信システムであることを特徴とする請求項１から３いずれかに記載の通信システム。
【請求項５】
前記回線品質判定は、アウターループ送信電力制御を行うための判定であることを特徴とする請求項４記載の通信システム。
【請求項６】
送信側および受信側で既知のパイロット信号を情報に付加して通信を行う通信システムにおける送信電力制御方法であって、
前記情報にユーザデータが無い場合、前記受信側で受信したパイロット信号を擬似ユーザデータとして取り扱い、その擬似ユーザデータを基に回線品質を判定する回線品質判定ステップを含むことを特徴とする送信電力制御方法。
【請求項７】
前記送信側で送信される信号は所定周期でインターリーブされた信号であり、前記回線品質判定ステップは、受信した情報に前記ユーザデータが有るか否かを判定し、無い場合は受信したパイロット信号を擬似ユーザデータとして抽出するビット抽出ステップと、前記ビット抽出ステップより前記パイロット信号を受け取り、前記受信側で既知のパイロット信号を用いてデータ変換を行い、その変換後のパイロット信号をインターリーブ長の間隔で配置するパイロット変換ステップと、前記パイロット変換ステップで処理された情報を逆インターリーブする逆インターリーブステップと、前記逆インターリーブステップで処理された情報を復号する誤り訂正ステップと、前記誤り訂正ステップで処理された情報の誤り判定を行う誤り判定ステップとを含むことを特徴とする請求項６記載の送信電力制御方法。
【請求項８】
前記送信側は、送信する情報にユーザデータが無い場合、前記受信側で誤り判定を行う場合に通常必要とされる所定ビットを付加しないことを特徴とする請求項６または７記載の送信電力制御方法。
【請求項９】
前記通信システムはCDMA通信システムであることを特徴とする請求項６から８いずれかに記載の送信電力制御方法。
【請求項１０】
前記回線品質判定は、アウターループ送信電力制御を行うための判定であることを特徴とする請求項９記載の送信電力制御方法。
【発明の詳細な説明】
【技術分野】
【０００１】
本発明は、通信システムおよび送信電力制御方法に関し、特にCDMA(code division multiple access) 通信システムにおけるアウターループ送信電力制御方法に関する。
【背景技術】
【０００２】
CDMA通信システムでは送信電力が過剰であると干渉が増え、回線容量が減るため、常に受信側にとって最適な電力で送信される必要がある。このため、受信SIR （signal-to-interference power ratio：信号電力対干渉電力比）が目標SIR になるように、通信相手にスロット毎にTPC （transmit power control：送信電力制御）ビットを送信し、高速に電力制御を行うインナーループ電力制御と、回線品質を示すFER （frame error rate：フレームエラーレート）やBLER（block error rate：ブロック誤り率）等の誤り率を一定に保つために、インナーループの目標SIR 値を制御するアウターループ送信電力制御が併用されている。
【０００３】
しかし、パケット通信等の連続的にデータ送受信しないサービスにおいては常時CRC   （cyclic redundancy check ）の測定を行うことができないため、回線品質の測定ができず、アウターループ送信電力制御を動作できない時間が生じる。
【０００４】
前記問題を回避するためには、ユーザデータが無い場合も、ＣＲＣビットのみを常時送信することで品質測定が可能になるが、アウターループ制御のための品質測定のためだけに冗長なビットを送信するため、他のユーザからみれば、干渉を増やしていることになり、回線容量上は不利となる。
【０００５】
一方、インナーループ送信電力制御では、対象チャネルのSIR を測定する必要があるため、一般には既知シンボルであるパイロットビットも同時に使用する必要がある。このため、ユーザデータが無い場合でもパイロットビット、TPC ビット、CRC ビットを送信する必要がある。
【０００６】
その理由は、SIR 測定に使用するパイロットビットと回線品質を測定するCRC ビットが別々に存在しているためである。
【０００７】
ここで、従来のこの種の通信システムにおけるユーザデータが無い場合の送信および受信動作の一例について図９〜図１２を参照しながら説明する。図９および図１０は従来の通信システムの送信動作の一例を示す図、図１１および図１２は従来の通信システムの受信動作の一例を示す図である。
【０００８】
なお、ユーザデータの有無に関しては、パイロットビット以外にデータ有無やデータ長を示す制御ビットを付加することで実現できるが、ここでの説明は省略し、データ無しと判定された場合の動作のみを説明する。インナーループ電力制御のためのTPC ビットについても説明を省略する。また、ビット長、インターリーブ長、パイロットビット数等は簡単な数字を例に挙げるが、これに限定されるものではなく、数値は任意である。
【０００９】
図９および図１０を参照すると、送信側では、
（１）  ユーザデータが無い場合は、
（２）CRC パリティビットのみを付加する。一例として、全て“０”ビットで構成される8 ビットのCRC パリティビットを付加する。
（３）CRC パリティビットを符号化する。一例として、符号率1 ／2 の畳み込み符号化を行う。本例では符号化により、8 ビットのデータ列は32ビットに符号化される。また、本例では全て“０”の8 ビットを符号化した場合、符号化後の３２ビットも全て“０”となる。
（４）フレーム長を合わせるために、DTX(discontinuous transmission) ビットを挿入する。なお、本ビットは送信時に送信電力を“０”にすることを示す。本例では、一例として３２ビットのDTX ビットを挿入する。
（５）インターリーブを行う。本例では、一例として、C ＝8 の場合のインターリーブを示す。同図に示すように、横方向に書き込み、縦方向に読み出すことにより、ビット列の順序を入れ替える。
（６）インターリーブ後、８ビットおきに4 ビットのパイロットビットを挿入する。本例では、一例として、“１０１０”と交互に繰り返されるパターンを示すが、他の既知のパターンでもよい。
（７）位相変調等の変調を行うため、ビットをシンボルに変換する。本例では、“０”ビットは“＋A ”、“１”ビットは“−A ”に変換する。ここで、“A ”は振幅を示す。DTX ビットは振幅を“０”にするため、シンボル“０”に置き換える。
【００１０】
以上の送信ビットの操作の後、位相変調等の変調後、基地局から電波として送信される。実際には、CDMA通信では拡散処理等が入るが、本説明では省略する。
【００１１】
以降は受信機側の動作となる。図１１および図１２を参照すると、
（８）基地局からの位相変調された電波を復調することで受信シンボル列を得る。
（９）これらの受信シンボル列のうち、パイロットシンボル部分はSIR の測定や、復調操作等に使用されるが、これ以降のデータの複合には使用しないため、パイロットシンボル部分を取り除く。
（１０）上記（５）と逆の手順を行うことで、逆インターリーブを行い、データの並びを元に戻す。
（１１）DTX ビットを除去する。なお、本実施例ではビット長は既知であるとして説明するが、実際にはデータの有無やデータ長を示す制御ビットにより本ビット長は求めることができる。
（１２）畳み込み符号化されたビット列を複合する。一般的にはビダビアルゴリズム等が知られており、符号を軟判定複合することができる。
【００１２】
以上の手順により、“０”のみで構成された８ビットデータが復元できればCRC 判定結果は正常（OK）となり、１ビットでも誤りがあればCRC 判定結果は
異常（NG）となる。
【００１３】
【特許文献１】特開２００３−３２１８４号公報
【発明の開示】
【発明が解決しようとする課題】
【００１４】
従来、パケット通信等の連続的にデータ送受信しないサービスにおいては、ＣＲＣビットを常時送信して品質測定を行っていたが、アウターループ制御のための品質測定のためだけに冗長なビットを送信するため、他のユーザからみれば、干渉を増やしていることになり、回線容量上は不利となるという欠点があった。      
【００１５】
そこで本発明の目的は、連続的にデータの送受信を行わないサービスにおいて、一定の回線品質を保つことが可能な通信システムおよび送信電力制御方法を提供することにある。
【課題を解決するための手段】
【００１６】
前記課題を解決するために本発明に係る通信システムは、送信側および受信側で既知のパイロット信号を情報に付加して通信を行う通信システムであって、前記情報にユーザデータが無い場合、前記受信側で受信したパイロット信号を擬似ユーザデータとして取り扱い、その擬似ユーザデータを基に回線品質を判定する回線品質判定手段を含むことを特徴とする。
【００１７】
また、本発明に係る送信電力制御方法は、送信側および受信側で既知のパイロット信号を情報に付加して通信を行う通信システムにおける送信電力制御方法であって、前記情報にユーザデータが無い場合、前記受信側で受信したパイロット信号を擬似ユーザデータとして取り扱い、その擬似ユーザデータを基に回線品質を判定する回線品質判定ステップを含むことを特徴とする。
【００１８】
本発明は、アウターループ送信電力制御機能を有するＣＤＭＡ通信システムにおいて、パケット通信などの常時データを送受信しないサービスにおいても、パイロットビットを使用してブロック誤り率を測定し、目標SIR を制御することにより、一定の回線品質を保つことが出来るアウターループ電力制御システムの構成および方法を提供するものである。
【００１９】
図１は本発明に係る通信システムの一例の構成図である。同図は一例としてＣＤＭＡ通信におけるアウターループ送信電力制御システムの構成を示している。      
【００２０】
基地局１はユーザデータ、および移動端末２が既知のシンボルパターンであるパイロットビットを、インターリーブ部２２のインターリーブ長にあわせたスロット構成で送信する。その送信信号は、移動端末２のアンテナ３及び無線受信部４により受信される。この信号は逆拡散および復調部５で復調される。
【００２１】
アウターループ電力制御は、上記の復調したビット系列のユーザデータの有無によって、以下２種類の動作を切り替える。ユーザデータ無しの場合、パイロットビットはビット抽出部６で擬似ユーザデータとしてパイロット変換部７へ出力される。パイロット変換部７はCRC ビットだけを送信した場合のビットパターンに基づきシンボルのローテーションを行う。このシンボルは逆インターリーブ部８および誤り訂正部９により復号され、CRC 判定部１０により、CRC 判定が行われる。
【００２２】
ユーザデータ有りの場合は、ビット抽出部６はパイロットビットを除いた、ユーザデータを逆インターリーブ部８に出力し、以降は前述と同様にCRC 判定が行われる。
【００２３】
品質測定部１１はCRC 判定結果を一定期間カウントすることでブロック誤り率を計測する。計測したブロック誤り率が予め設定した所要品質に満たない場合は、TPC 生成部１４に設定された目標SIR 値を上げる。また、過剰な品質が得られている場合は、目標SIR を下げる。
【００２４】
このようにして、ユーザデータが無い区間でもパイロットビットを使用したアウターループ電力制御により回線に品質を一定に保つことを可能にする。
【発明の効果】
【００２５】
本発明によれば、受信側で受信した情報にユーザデータが無い場合、前記受信側で受信したパイロット信号を擬似ユーザデータとして取り扱い、その擬似ユーザデータを基に回線品質を判定する回線品質判定手段を含むため、無駄な送信ビットを減らすことができ、回線容量を増やし、安定したアウターループ動作を行うことができる。また、ユーザデータが送信されない場合でも、回線品質を常時測定することが出来るため、受信性能が改善される。
【００２６】
第１の効果は、基地局の平均送信電力を低下させることができることにある。その理由は、ユーザデータが無い場合、パイロットビットだけを送信すれば良いためである。
【００２７】
第２の効果は、通信を安定させることができるため、受信性能を向上することができることにある。その理由は、パイロットビットを元に回線品質の測定が常に行えるためである。
【００２８】
第３の効果は、システムの回線容量を向上させることができることにある。
その理由は、基地局の平均送信電力を低下することにより、他ユーザへの干渉を少なくすることが出来るためである。
【発明を実施するための最良の形態】
【００２９】
スロット毎に送信されている既知パターンのパイロットビットを誤り訂正におけるインターリーブ長にあわせて配置したスロット構成を用いることにより、パイロットビットとCRC ビットを共有できる通信システムおよび送信電力制御方法を提供する。
【実施例１】
【００３０】
図１を参照すると、本発明に係るアウターループ電力制御システムの一実施例は、基地局１と移動端末２とを含んで構成されている。
【００３１】
基地局１は送信データ生成部１９と、CRC 計算部２０と、畳み込み符号部２１と、インターリーブ部２２と、パイロットビット生成部２3 と、ビット結合部２４と、拡散部２５と、送信電力調整部２６と、無線送信部２７と、アンテナ２８と、無線受信部２９と、逆拡散および復調部３０と、ビット抽出部３１と、受信データ復号部３２と、TPC 判定部３３とを含む。
【００３２】
また、移動端末２はアンテナ3 と、無線受信部4 と、逆拡散および復調部5 と、ビット抽出部６と、パイロット変換部７と、逆インターリーブ部８と、誤り訂正部９と、CRC 判定部１０と、品質測定部１１と、SIR 測定部１２と、目標SIR 計算部１３と、TPC ビット生成部１４と、送信ビット符号化部１５と、ビット結合部１６と、拡散部１７と、無線送信部１８とを含む。
【００３３】
これらの手段はそれぞれ概略つぎのように動作する。はじめに、基地局1 が送信データを移動端末２へ送信するための動作を説明する。
【００３４】
送信データ生成部１９が生成したユーサーデータに対して、CRC 計算部２０はCRC 計算を行い、CRC ビットを付加する。なお、ユーザデータが無い場合もCRC の計算は可能であるが、本実施例ではユーザデータが無い場合はCRC ビットを付加しない。
【００３５】
畳み込み符号化部２１はCRC ビットが付加されたユーザデータを誤り訂正のために符号化する。本実施例では畳み込み符号と記載したが、ターボ符号化等であっても良い。
【００３６】
インターリーブ部２２は符号化されたデータを、図２のインターリーブ手順の一例を示す図に示すような列幅C の配列へ横方向に書き込み、縦方向に読み出す。一般的に本インターリーブ部２２でデータの並べ替えを行うことにより、無線区間中で発生する誤りを分散することができ、誤り訂正の能力を上げることが出来ることが知られている。
【００３７】
パイロット生成部２３は予め設定されているパターンを生成する。なお、このパターンは移動端末２にも予め設定してある。また、本パイロットパターンに対しては畳み込み符号化や、インターリーブ処理は行われない。
【００３８】
ビット結合部２４はパイロットビット生成部２３が生成したパイロットビットとインターリーブ部２２が生成したインターリーブ後のユーザデータを、図３のパイロットビットの挿入の一例を示す図に示すようなスロット構成で結合する。ここでパイロットビット列は数ビット程度の複数のビットで構成されている。図３で特徴的なのは、上記インターリーブ長（図２におけるC ）の間隔でパイロットビット列を配置することにより、CRC ビットだけを畳み込み符号化し、インターリーブした場合と、同じ間隔で配置したことになる点である。また、ユーザデータ部にデータがないときは該当区間の送信が停止される。
【００３９】
上記結合したデータ列は拡散部２５で拡散処理され、送信電力調整部２６により、送信電力が調整された後、無線送信部２７により高周波信号へ変換され、アンテナ２８より送信される。
【００４０】
なお、CRC の計算方法、畳込み符号化方法、拡散方法については当該事業者にとって良く知られている技術であり、本発明の特徴とは直接関係しないため、詳細な説明は省略する。
【００４１】
次に、基地局１からのデータを移動端末２が受信するための動作について説明する。
【００４２】
アンテナ３で受信された電波は無線受信部４と、逆拡散部と、復調部５とによりビット系列が復調される。
【００４３】
ビット抽出部６はユーザデータの有無によって動作を切り替える。ユーザデータ無しの場合、受信側でパターンが既知であるパイロットビットは、擬似ユーザデータとしてパイロット変換部７へ出力される。
【００４４】
ユーザデータ有りの場合は、ビット抽出部６はパイロットビットを除いた、ユーザデータを逆インターリーブ部８に出力する。また、SIR 測定部１２に対してはユーザデータの有無によらず、パイロットビット列のみを送る。
【００４５】
パイロット変換部７はCRC だけを送信した場合のビットパターンに基づきシンボルのローテーションを行う。シンボルを0 から１へローテーションするためには、位相変調（BPSK：binary phase shift keying ）の場合を例に取ると、シンボルの符号を反転させる、または180 度回転させることでシンボルを変換することができる。
【００４６】
逆インターリーブ部８は図２におけるインターリーブの反対の動作を行うことでビット列の並びを元に戻す。具体的には図２の配列を縦方向に書き込み横方向に読み出すことにより実現できる。
【００４７】
誤り訂正部９は畳み込み符号化されたビット列を復号する。また、CRC 判定部１０により、CRC 判定が行われ、当該データ列に誤りがあるかどうかを判定する。
【００４８】
品質測定部１１はCRC 判定結果を一定期間カウントすることでBLERを計測する。計測したBLERが予め設定した所要品質に満たない場合は、TPC 生成部１４に予め設定された目標SIR 値を上げる。また、過剰な品質が得られている場合は、目標SIR を下げる。
【００４９】
SIR 測定部１２はパイロットビットを基に対象チャネルのSIR の測定を行う。なお、SIR の測定法は当該事業者にとっては複数の手段が広く知られているため、具体的な方法については省略する。
【００５０】
更に、移動端末２から基地局１へデータを送信するための動作について説明する。
【００５１】
TPC ビット生成部１４はSIR 測定部１２によって測定されたSIR が設定された目標SIR より大きい場合は基地局の送信電力を下げるTPC ビットを生成する。また、目標SIR より小さい場合は基地局の送信電力を上げるTPC ビットを生成する。
【００５２】
生成されたTPC ビットは、送信符号化部１５により生成されたユーザデータとビット結合部１６でビット結合され、拡散部１７および無線送信部１８により高周波へ変換され、アンテナ３より基地局１へ送信される。
【００５３】
最後に、基地局１が移動端末２からデータを受信するための動作を説明する。      
【００５４】
アンテナ２８、無線受信部２９、逆拡散および復調部３０によって復調されたデータはビット抽出部３１によりTPC ビットと分離される。ユーザデータは受信データ復号部３２によって復号される。
【００５５】
TPC 判定部３３はTPC ビットを復調し、移動端末２からの送信電力の上下情報に基づいて、送信電力調整部２６の送信電力を制御する。
【００５６】
次に、図１及び図４のフローチャートを参照して本実施例の全体の動作について詳細に説明する。図４はビット抽出部６の動作の一例を示すフローチャートである。
【００５７】
まず、インナーループ電力制御は、以下の様に動作する。SIR 測定部１２はパイロットビットを使用して受信信号のSIR を測定する。また、TPC ビット生成部１４は予め設定された目標SIR 値と受信SIR を比較し、受信SIR が目標SIR に満たない場合は、基地局の送信電力を上げるTPC ビットを生成する。目標SIR より高い受信SIR が測定された場合は、送信電力を下げるTPC ビットを生成する。
【００５８】
このTPC ビットは、拡散部１７で拡散された後、無線送信部１８およびアンテナ３を通って、基地局に送信される。TPC ビットを受信した基地局１はTPC ビットの内容に従って送信電力を制御する。
【００５９】
また、アウターループ電力制御は、ビット抽出部６の動作により以下２種類の動作を切り替える。受信したユーザデータの有無を判定する（図４のステップS １。
【００６０】
ユーザデータ無しの場合（ステップS １でNoの場合）は、受信側でパターンが既知である個別物理チャネルのパイロットビットはビット抽出部６で擬似ユーザデータとしてパイロット変換部７へ出力される（ステップS ２）。
【００６１】
ユーザデータ有りの場合（ステップS １でYes の場合）は、ビット抽出部６はパイロットビットを除いた、ユーザデータを逆インターリーブ部８に出力するステップS3）。
【００６２】
SIR 測定部１２にはユーザデータの有無に関わらす、パイロットビットを抽出する（ステップS4）。
【００６３】
パイロット変換部７によりCRC だけを送信した場合のビットパターンに基づきシンボルがローテーションされた後、逆インターリーブ部８および誤り訂正部９により復号され、CRC 判定部１０により、CRC 判定が行われる。
【００６４】
品質測定部１１はCRC 判定結果を一定期間カウントすることでブロック誤り率を計測する。計測したBLERが予め設定した所要品質に満たない場合は、TPC 生成部１４に設定された目標SIR 値を上げる。また、過剰な品質が得られている場合は、目標SIR を下げる。
【００６５】
このようにして、ユーザデータが無い区間でも一定の回線品質を保つためのアウターループ電力制御を可能にする。
【００６６】
なお、前記ユーザデータの有無の判定は以下２つ方法がある。まず、パイロットビット以外にデータの有無やデータの数を示すためのビットを基地局１が送信し、これを判定する。第2 の方法としては、ユーザデータとパイロットビット列の電力比を測定し、パイロットに比べてユーザデータの受信レベルが予め設定されたしきい値より低い場合はユーザデータは送信されていないと判定する。
【実施例２】
【００６７】
次に、本発明の動作の一例を具体的に説明する。以下に述べる動作はユーザデータが無い場合の送信および受信動作の一例である。図５および図６は本発明に係る通信システムの送信動作の一例を示す図、図７および図８は本発明に係る通信システムの受信動作の一例を示す図である。
【００６８】
図５および図６を参照すると、送信側では、
（１）ユーザデータが無い場合は、
（２）CRC ビットを付加しない。
（３）入力データが無いため、畳み込み符号化も実施しない。
（４）フレーム長を合わせるためにDTX(Discontinuous Transmission) ビットを挿入する。本ビットは送信時に送信電力を“０”にすることを示す。本実施例では一例として６４ビットのDTX ビットを挿入する。
（５）インターリーブ処理を行う。列幅C （一例としてC=8 ）の配列へ横方向に書き込み、縦方向に読み出す。本実施例の場合は、全てDTX ビットであるため、並べ替えた結果も全てDTX ビットとなる。
（６）インターリーブ後、８ビットおきに４ビットのパイロットビットを挿入する。これは、従来例と同様である。本実施例では、一例として４ビットのパイロットビットを“１”と“０”が交互に繰り返されるパターン“１０１０”とする。
（７）従来例と同様に、位相変調等の変調を行うため、ビットをシンボルに変換する。本実施例では、一例として“０”ビットは“＋A"、”１“ビットは”−A"に変換する。ここで、“A"は振幅を示す。DTX ビットは振幅を”０“にするため、シンボル”０“に置き換える。以上の送信ビットの操作の後、位相変調等の変調後、基地局から電波として送信される。
【００６９】
以降は受信側の動作となる。図７および図８を参照すると、受信側では、
（８）基地局からの位相変調された電波を復調して受信シンボル列を得る。
（９）パイロット部の受信シンボルを受信側が既知である“１０１０”のパターンを使って変換する。既知のパイロットパターンのビットが“１”の場合は受信シンボルに“−１”をかける。既知のパイロットパターンのビットが“０”に場合は受信シンボルはそのままとする。本操作により、“１０１０”のパターンを“００００”のパターンを受信した場合に変換することができるため、従来例での全て“０”で送信されたCRC パリティビットの代用として使用することができるようになる。
（１０）ユーザデータ部の一部を図７（１０）に示すように変換したパイロット部で置き換える。同図の例では、受信系列のうち、d0,d1,d2,d3 等がパイロット部で置き換えられるが、d0,d1,d2,d3 等は送信側ではDTX ビットに相当するため、復調してもデータは得られない。したがって、これらd0,d1,d2,d3 等は不要である。
（１１）図８（１１）に示すように逆インターリーブを実施する。これは従来例と同様である。すなわち、列幅C （一例としてC=8 ）の配列へ縦方向に書き込み、横方向に読み出す。
（１２）従来例と同様にDTX ビットを除去する。この操作で本実施例では全てが変換されたパイロットシンボル部となる。
（１３）ビダビアルゴリズム等で複合処理を行う。以上の手順により、“０”のみで構成された８ビットデータが復元できればCRC 判定結果は正常（OK）となり、１ビットでも誤りがあればCRC 判定結果は異常（NG）となる。
【産業上の利用可能性】
【００７０】
第１および第２の実施例ではパイロットビットを用いたが、データの有無やサイズを示すTFCIビット（transport  format  combination  indicator ）など、他の制御ビットを使用しても良い。また、第１および第２の実施例では基地局１から送信されるアウターループ電力制御についてのみ記載したが、移動端末２からの送信に対するアウターループ電力制御に適応しても良い。
【図面の簡単な説明】
【００７１】
【図１】本発明に係る通信システムの一例の構成図である。
【図２】インターリーブ手順の一例を示す図である。
【図３】パイロットビットの挿入の一例を示す図である。
【図４】ビット抽出部６の動作の一例を示すフローチャートである。
【図５】本発明に係る通信システムの送信動作の一例を示す図である。
【図６】本発明に係る通信システムの送信動作の一例を示す図である。
【図７】本発明に係る通信システムの受信動作の一例を示す図である。
【図８】本発明に係る通信システムの受信動作の一例を示す図である。
【図９】従来の通信システムの送信動作の一例を示す図である。
【図１０】従来の通信システムの送信動作の一例を示す図である。
【図１１】従来の通信システムの受信動作の一例を示す図である。
【図１２】従来の通信システムの受信動作の一例を示す図である。
【符号の説明】
【００７２】
１  基地局
２  移動端末
３  アンテナ
４  無線受信部
５  逆拡散および復調部
６  ビット抽出部
７  パイロット変換部
８  逆インターリーブ部
９  誤り訂正部
１０  CRC 判定部
１１  品質測定部
１２  SIR 測定部
１３  目標SIR 計算部
１４  TPC 生成部
１５  送信ビット符号化部
１６  ビット結合部
１７  拡散部
１８  無線送信部
１９  送信データ生成部
２０  CRC 計算部
２１  畳み込み符号部
２２  インターリーブ部
２３  パイロットビット生成部
２４  ビット結合部
２５  拡散部
２６  送信電力調整部
２７  無線送信部
２８  アンテナ
２９  無線受信部
３０  逆拡散および復調部
３１  ビット抽出部
３２  受信データ復号部
３３  TPC 判定部
【図１】
2005045564.tif 000003
【図２】
2005045564.tif 000004
【図３】
2005045564.tif 000005
【図４】
2005045564.tif 000006
【図５】
2005045564.tif 000007
【図６】
2005045564.tif 000008
【図７】
2005045564.tif 000009
【図８】
2005045564.tif 000010
【図９】
2005045564.tif 000011
【図１０】
2005045564.tif 000012
【図１１】
2005045564.tif 000013
【図１２】
2005045564.tif 000014